(57)【要約】【課題】  緩衝材を後から入れる必要がなく、商品をそのまま入れたり、包んだりするだけで緩衝効果があり、更に、外観上にも所望のデザインや情報を施して見る者に、情報伝達を可能にしたり、また好印象を与えることができて、意匠効果にすぐれ、しかも、自然環境に悪影響をもたらさない緩衝効果を有する情報表示機能付き緩衝材を提供する。【解決手段】  表面に情報表示部を有するシート状基材と、シート状の基材が不規則な状態で交互に折り曲げられて凹凸部が形成された緩衝用部材とを有し、前記シート状基材の裏面側に、前記緩衝用部材が重ね合わされ、前記シート状基材の裏面側と前記緩衝用部材の表面側との少なくとも一端縁部分で綴じ合わされている。【選択図】        図1
2008074473.tif 000002
【特許請求の範囲】
【請求項１】
表面に情報表示部を有するシート状基材と、
シート状の基材が不規則な状態で交互に折り曲げられて凹凸部が形成された緩衝用部材とを有し、
前記シート状基材の裏面側に、前記緩衝用部材が重ね合わされ、前記シート状基材の裏面側と前記緩衝用部材の表面側との少なくとも一端縁部分で綴じ合わされていることを特徴とする情報表示機能付き緩衝材。
【請求項２】
前記緩衝用部材が、複数枚重ね合わされて備えられていることを特徴とする請求項１記載の情報表示機能付き緩衝材。
【請求項３】
前記シート状基材と前記緩衝用部材とが、天然パルプを原料とする紙、又は、自然環境内で分解性を有する合成樹脂フィルムであることを特徴とする請求項１又は請求項２に記載の情報表示機能付き緩衝材。
【請求項４】
前記シート状基材と前記緩衝用部材との綴り合わせが、水系接着剤をドット状および/またはライン状にして接着させた状態で綴り合わされていることを特徴とする請求項１〜３項のいずれかに記載の情報表示機能付き緩衝材。
【発明の詳細な説明】
【技術分野】
【０００１】
本発明は、商品を宅配便などで輸送や配送する際に、それらの配送品である商品を落としたり、ぶつけたりなどした場合でも商品の破損を防止するための緩衝材であって、特に、商品を包み込んだ際に、その外側に所望の情報を表示可能にした情報表示機能付き緩衝材に関する。
【背景技術】
【０００２】
従来、通信販売会社では、宅配便を利用して大量の商品を各々の顧客まで届けている。
そして、商品を宅配便で配送する際に必要な物として、商品、段ボール箱や封筒、納品明細書や払込票、配送伝票などがある。
例えば、配送する商品が、家具のようなサイズの大きな商品である場合には、段ボール箱や封筒に入らないこともあり使用されないこともあるが、商品が化粧品、文房具などの小物類の場合には、段ボールや封筒にそれらの商品を入れて配送させることになる。
【０００３】
そして、通信販売会社では、顧客から注文があった商品について納品明細書を見ながら配送品を確認して、それらの商品を段ボールに入れた後に、段ボール箱の封緘を行い、配送伝票を段ボール箱の所定位置に貼り込んで発送手続きを行なうといった処理を行っている。
【０００４】
また、多くの場合に、商品のサイズと段ボール箱のサイズとが同じではないために、段ボールの内部に隙間が生じることになり、その状態で配送処理が行われると、宅配便での輸送中に段ボール箱の中で商品が踊ってしまい、最悪の場合には、顧客に届けられた商品が破損してしまっていることも考えられる。
したがって、このように商品が破損するのを防止するために、段ボール箱に入れた商品と段ボール箱の壁との間に詰め物を入れたり、緩衝材と呼ばれる資材を隙間に入れるなどして商品が不必要に動かないようにしている。
これらの緩衝材については、既に種々の構造の緩衝材が公知となっている。（例えば、特許文献１〜５、参照）
【０００５】
【特許文献１】特開平６−１７１６７１号公報
【特許文献２】特開平７−２０６０４７号公報
【特許文献３】特開平８−１４３０６５号公報
【特許文献４】特開２００２−２５５１５７号公報
【特許文献５】特開２００５−７５３８０号公報
【０００６】
しかしながら、これらの緩衝材は、商品が届けられた後において不要物となり、ほとんどが廃棄されることになる。
このために緩衝材として従来頻繁に使用されている、所謂「エアキャップ」などの合成樹脂を原料とする緩衝材については、もともと高価であるのにもかかわらず、商品が届いてしまえば不要物として捨ててしまうために、経済的にも無駄であるだけでなく、資源の無駄使いや、環境保全などの問題があるなどから使用しにくい状況にあるという問題がある。
【０００７】
また、従来の緩衝材は、段ボール箱や封筒の中に入れる作業が必要であることから、商品と緩衝材とを入れる手間がかかり、商品の配送用意をする際に手間や時間がかかり面倒でもあるという問題がある。
更に、従来の緩衝材では、その外側に所望の情報を表示して伝達したり、広告表示や模様を印刷して意匠性を高めたりすることもできないので、商品の受取人が届いた緩衝材を所望の目的で再利用するということもできないという問題がある。
【発明の開示】
【発明が解決しようとする課題】
【０００８】
そこで、本発明は、商品をそのまま入れたり、包んだりするだけで緩衝効果があり、更に、外観上にも所望のデザインや情報を施して見る者に、情報伝達を可能にしたり、また好印象を与えることができて、意匠効果にすぐれ、しかも、自然環境に悪影響をもたらさない緩衝効果を有する情報表示機能付き緩衝材を提供する。
【課題を解決するための手段】
【０００９】
上記の課題を達成するために、本発明の情報表示機能付き緩衝材は、表面に情報表示部を有するシート状基材と、シート状の基材が不規則な状態で交互に折り曲げられて凹凸部が形成された緩衝用部材とを有し、前記シート状基材の裏面側に、前記緩衝用部材が重ね合わされ、前記シート状基材の裏面側と前記緩衝用部材の表面側との少なくとも一端縁部分で綴じ合わされていることを特徴とする。
【００１０】
また、本発明の情報表示機能付き緩衝材は、前記緩衝用部材が、複数枚重ね合わされて備えられていることを特徴とする。
【００１１】
更に、本発明の情報表示機能付き緩衝材は、前記シート状基材と前記緩衝用部材とが、天然パルプを原料とする紙、又は、自然環境内で分解性を有する合成樹脂フィルムであることを特徴とする。
【００１２】
また、本発明の情報表示機能付き緩衝材は、前記シート状基材と前記緩衝用部材との綴り合わせが、水系接着剤をドット状および/またはライン状にして接着させた状態で綴り合わされていることを特徴とする。
【発明の効果】
【００１３】
本発明の情報表示機能付き緩衝材は、シート状基材の裏面側に緩衝用部材が設けられ、シート状基材の裏面側と緩衝用部材の表面側との少なくとも一端縁部分で綴じ合わされているので、商品をそのまま入れたり、包んだりするだけで緩衝効果があり、更に、シート状基材の表面に情報表示部を有しているので、外観上にも所望のデザインや情報を施して見る者に、情報伝達を可能にしたり、また好印象を与えることができて、意匠効果にすぐれた効果を有するという効果がある。
【００１４】
また、本発明の情報表示機能付き緩衝材は、緩衝用部材が、複数枚重ね合わされて備えられているので、合成樹脂を使用しないでも優れた緩衝効果を有するという効果がある。
【００１５】
更に、本発明の情報表示機能付き緩衝材は、シート状基材と緩衝用部材とが、天然パルプを原料とする紙、又は、自然環境内で分解性を有する合成樹脂フィルムであるので、自然環境に害を与えることを防止することができるという効果がある。
【００１６】
また、本発明の情報表示機能付き緩衝材は、シート状基材と緩衝用部材との綴り合わせが、水系接着剤をドット状および/またはライン状にして接着させた状態で綴り合わされているので、廃棄した場合でも自然環境に悪影響をもたらさないという効果がある。
【発明を実施するための最良の形態】
【００１７】
以下、本発明の実施形態に係る情報表示機能付き緩衝材について、図面に基づいて詳細に説明する。
図１は、本発明の実施形態に係る情報表示機能付き緩衝材の斜視図、図２は、図１のＡ−Ａ線断面図、図３は、本発明の実施形態に係る情報表示機能付き緩衝材を構成するシート状基材及び緩衝用部材の平面図である。
【００１８】
本発明の実施形態に係る情報表示機能付き緩衝材１は、図１に示すように、少なくとも、表面に情報表示部を有するシート状基材２と、シート状の基材が不規則な状態で交互に折り曲げられて凹凸部が形成された緩衝用部材３とを有しており、そして、シート状基材２の裏面側に、緩衝用部材３が重ね合わされた構造を有している。
更に、必要に応じて緩衝用部材３の裏側にもシート状基材２と同様のシート状基材４を重ね合わせるように構成してもよい。
緩衝用部材３の裏側に設けるシート状基材４は、配送する商品の内容に応じて設けるか否かの選択をすることができる。
これらのシート状基材２，４は、コート紙や上質紙などが用いられる。
【００１９】
図３（ａ）に示すように、シート状基材２の表面には、所望の表示５が印刷などで施されている。
これらの表示としては、例えば、様々なデザインの模様や絵柄、伝達情報、カレンダーなど任意な内容の表示が施されており、緩衝材１で配送する商品を包み込んだ際に、外観上も見る者に好感を抱かせることができるようにしてある。
図１に示す例では、シート状基材２の表示５として、カレンダーとひまわりが咲いている景色とが印刷された状態が示されている。
したがって、商品を緩衝材１で包み込んだ場合に、外観的には包み紙で包まれている状態に見えるが、商品を衝撃から守る緩衝効果も有している。
【００２０】
図３（ｂ）に示すように、シート状の基材が不規則な状態で交互に折り曲げられて凹凸部が形成された緩衝用部材３は、複数枚の緩衝用部材３ａ，３ｂ，３ｃを重ね合わされた状態で設けることが好ましく、重ね合わせる緩衝用部材の枚数は、配送する商品の内容に応じて任意に選択することができる。
尚、図３（ｂ）に示す例では、３枚の緩衝用部材３ａ，３ｂ，３ｃが重ね合わされている構造が示されているが、これに限らず緩衝用部材の枚数は任意に設定することができる。
【００２１】
これらの複数枚の緩衝用部材３ａ，３ｂ，３ｃの各緩衝用部材は、シート状基材２，４のサイズよりも大きなサイズを有する紙又は自然環境内で分解性を有する合成樹脂フィルムを不規則な状態で交互に折り曲げることで凹凸部が形成し、これらの緩衝用部材３ａ，３ｂ，３ｃをシート状基材２，４と重ね合わせた場合に、四周端部が揃う状態となるように構成されており、重ね合わされている複数の緩衝用部材の間に不規則な形状の空間が形成されており、それらの空間により緩衝効果を生じさせるように構成されている。
【００２２】
また、図３（ｃ）に示すように、緩衝用部材３の裏側に設けられるシート状基材４は、シート状基材２と同一サイズを有しており、商品を包み込んだ際に外側から見られないので必ずしも表示する必要がない。
また、シート状基材４の表面に、シート状基材２と同様の表示を施しておいて、商品を包み込む際に、表裏のどちら側を表にして使用できるようにしてもよい。
【００２３】
そして、これらのシート状基材２と緩衝用部材３ａ，３ｂ，３ｃとは、天然パルプを原料とする紙、又は、自然環境内で分解性を有する合成樹脂フィルムにより構成されている。
したがって、商品を受け取った者が、情報表示機能付き緩衝材１を廃棄した場合でも、有害物質を発生させたりすることがなく、また自然環境内で分解するので自然環境に悪影響をもたらすことがないように配慮されている。
【００２４】
また、シート状基材２と緩衝用部材３ａ，３ｂ，３ｃは、シート状基材２の裏面側と緩衝用部材３ａ，３ｂ，３ｃの表面側との端縁部分に接着部６が設けられて、綴じ合わされている。
このシート状基材２，４と緩衝用部材３ａ，３ｂ，３ｃとが綴り合わされている接着部６には、水系接着剤をドット状および/またはライン状にして接着させた状態で綴り合わされている。
【図面の簡単な説明】
【００２５】
【図１】本発明の実施形態に係る情報表示機能付き緩衝材の斜視図である。
【図２】図１のＡ−Ａ線断面図である。
【図３】本発明の実施形態に係る情報表示機能付き緩衝材を構成するシート状基材及び緩衝用部材の平面図である。
【符号の説明】
【００２６】
１  情報表示機能付き緩衝材
２  シート状基材
３，３ａ，３ｂ，３ｃ  緩衝用部材
４  シート状基材
５  表示
６  接着部
【図１】
2008074473.tif 000003
【図２】
2008074473.tif 000004
【図３】
2008074473.tif 000005